(57)【特許請求の範囲】
【請求項１】
交流電源の一方及び他方の出力端子にそれぞれ接続される一方及び他方の伝送線路と、
この一方及び他方の伝送線路にその一方及び他方の入力端子がそれぞれ接続される第１および第２の全波整流回路と、
これら第１及び第２の全波整流回路の出力端子から電源電圧をそれぞれのインバータ回路で高周波電圧に変換して、それぞれ第１及び第２の放電灯の点灯を行う第１及び第２の負荷回路と、
前記他方の伝送線路にその一方の端子が接続され、その一方の端子と他方の端子間のオン・オフを行うオン・オフスイッチと、
このオン・オフスイッチの他方の端子にその発光ダイオードのアノードが接続され、その発光ダイオードのカソードが前記一方の伝送線路に接続され、そのフォトトランジスタが前記第１の負荷回路に設けられ、その発光ダイオードが発光した場合、そのフォトトランジスタが前記第１の負荷回路に対して第１の放電灯を点灯可能な状態にし、その発光ダイオードが発光しなかった場合、そのフォトトランジスタが前記第１の負荷回路に対して第１の放電灯の消灯を行なわせる第１のフォトカプラと、
前記オン・オフスイッチの他方の端子にその発光ダイオードのアノードが接続され、その発光ダイオードのカソードが前記第２の全波整流回路の負極側の出力端子に接続され、そのフォトトランジスタが前記第２の負荷回路に設けられ、その発光ダイオードが発光した場合、そのフォトトランジスタが前記第２の負荷回路に対して第２の放電灯を点灯可能な状態にし、その発光ダイオードが発光しなかった場合、そのフォトトランジスタが前記第２の負荷回路に対して第２の放電灯の消灯を行なわせる第２のフォトカプラと、を具備し、
前記オン・オフスイッチをオフにした状態では、前記第１，第２のフォトカプラの発光ダイオードに電流が流れることのないように、前記オン・オフスイッチの他方の端子に前記一方の伝送線路と同じかもしくは低い電圧となる配線を施すことにより、インバータ回路を用いた前記第１，第２の負荷回路をそれぞれ備えた器具を同一配線内で組み合わせ可能にしたことを特徴とする放電灯点灯装置。
【請求項２】
交流電源の一方及び他方の出力端子にそれぞれ接続される一方及び他方の伝送線路と、
この一方及び他方の伝送線路にその一方及び他方の入力端子がそれぞれ接続される第１および第２の全波整流回路と、
これら第１及び第２の全波整流回路の出力端子から電源電圧をそれぞれのインバータ回路で高周波電圧に変換して、それぞれ第１及び第２の放電灯の点灯を行う第１及び第２の負荷回路と、
前記他方の伝送線路にその一方の端子が接続され、その一方の端子と他方の端子間のオン・オフを行うオン・オフスイッチと、
このオン・オフスイッチの他方の端子にその発光ダイオードのアノードが接続され、その発光ダイオードのカソードが前記一方の伝送線路に接続され、そのフォトトランジスタが前記第１の負荷回路に設けられ、その発光ダイオードが発光した場合、そのフォトトランジスタが前記第１の負荷回路に対して第１の放電灯を点灯可能な状態にし、その発光ダイオードが発光しなかった場合、そのフォトトランジスタが前記第１の負荷回路に対して第１の放電灯の消灯を行なわせる第１のフォトカプラと、
前記オン・オフスイッチの他方の端子にその発光ダイオードのカソードが接続され、その発光ダイオードのアノードが前記一方の伝送線路に接続され、そのフォトトランジスタが前記第２の負荷回路に設けられ、その発光ダイオードが発光した場合、そのフォトトランジスタが前記第２の負荷回路に対して第２の放電灯を点灯可能な状態にし、その発光ダイオードが発光しなかった場合、そのフォトトランジスタが前記第２の負荷回路に対して第２の放電灯の消灯を行なわせる第２のフォトカプラと、を具備し、
前記オン・オフスイッチをオフにした状態では、前記第１，第２のフォトカプラの発光ダイオードに電流が流れることのないように、前記オン・オフスイッチの他方の端子に前記一方の伝送線路と同じかもしくは低い電圧となる配線を施すことにより、インバータ回路を用いた前記第１，第２の負荷回路をそれぞれ備えた器具を同一配線内で組み合わせ可能にしたことを特徴とする放電灯点灯装置。
【発明の詳細な説明】
【０００１】
【発明の属する技術分野】
本発明は非常灯、誘導灯等の放電灯の点灯を行う放電灯点灯装置に関する。
【０００２】
【従来の技術】
従来、非常灯、誘導灯に用いられる放電灯点灯装置は、スイッチの操作によりフォトカプラをオフさせ、このフォトカプラのオフによりインバータ回路の制御回路に発振停止信号を供給して装置を停止していた。
【０００３】
図７はこのような従来の放電灯点灯装置の第１の例を示す回路図である。
【０００４】
図７において、交流電源７１の一方の出力端子は、ダイオードブリッジによる全波整流器７２の一方の入力端子に接続され、交流電源７１の他方の出力端子は、全波整流器７２の他方の入力端子に接続される。
【０００５】
また、交流電源７１の他方の出力端子は、スイッチＳＷ７１の一方の端子に接続される。スイッチＳＷ７１の他方の端子は、抵抗Ｒ７１，Ｒ７２及びフォトカプラＰＣ７１の発光ダイオードＰＤ７１のアノード・カソード路を介して全波整流器７２の負極側の出力端子に接続される。抵抗Ｒ７１，Ｒ７２の接続点は電解コンデンサＣ７１を介して発光ダイオードＰＤ７１のカソードに接続される。
【０００６】
全波整流器７２の正極側の出力端子は、平滑コンデンサＣ７２を介して全波整流器７２の負極側の出力端子に接続される。
【０００７】
全波整流器７２の正極側及び負極側の出力端子は、それぞれスイッチングレギュレータ回路７３の正極側及び負極側の入力端子に接続される。
【０００８】
スイッチングレギュレータ回路７３は、その入力端子に加わる電源電圧から所定の電圧値に安定化された直流電源電圧を作成して正極側及び負極側の端子間に出力する。
【０００９】
スイッチングレギュレータ回路７３の正極側及び負極側の出力端子は、それぞれインバータ回路７４の正極側及び負極側の入力端子に接続される。
【００１０】
スイッチングレギュレータ回路７３の正極側の出力端子は、抵抗Ｒ７３及びフォトカプラＰＣ７１のフォトトランジスタＰＴｒ７１のコレクタ・エミッタ路を介してスイッチングレギュレータ回路７３の負極側の出力端子に接続される。
【００１１】
抵抗Ｒ７３とフォトトランジスタＰＴｒ７１の接続点は、制御回路７５の正極側の入力端子に接続される。スイッチングレギュレータ回路７３の負極側の出力端子は、制御回路７５の負極側の入力端子に接続される。
【００１２】
制御回路７５は、入力端子間に所定値以上の電圧（ハイレベルの電圧）が供給された場合にインバータ回路７４を停止させる制御信号ａ７を出力し、入力端子間に所定値より低い電圧（ローレベルの電圧）が供給された場合にインバータ回路７４を動作させる制御信号ａ７を出力する。
【００１３】
インバータ回路７４は制御回路７５からの制御信号ａ７に基づいてその入力端子間に加わる直流電圧を高周波電圧に変換して放電灯７６に印加することにより、放電灯７６を点灯している。
【００１４】
このような従来の放電灯点灯装置において、スイッチＳＷ７１をオフした状態では、発光ダイオードＰＤ７１には電流が流れず発光を行わないので、フォトカプラＰＣ７１のフォトトランジスタＰＴｒ７１はオフ状態となり制御回路７５にはハイレベルの電圧が供給される。これにより、インバータ回路７４が停止し放電灯７６が消灯する。
【００１５】
スイッチＳＷ７１をオンした状態では、発光ダイオードＰＤ７１には抵抗Ｒ７１，Ｒ７２を介して電流が流れて発光し、フォトカプラＰＣ７１のフォトトランジスタＰＴｒ７１はオン状態となり制御回路７５にはローレベルの電圧が供給される。これにより、インバータ回路７４は入力端子間に加わる直流電圧を高周波電圧に変換して放電灯７６を点灯する。
【００１６】
図８は従来の放電灯点灯装置の第２の例を示す回路図である。
【００１７】
図８において、交流電源８１の一方の出力端子は、ダイオードブリッジによる全波整流器８２の一方の入力端子に接続され、交流電源８１の他方の出力端子は、全波整流器８２の他方の入力端子に接続される。
【００１８】
また、交流電源８１の他方の出力端子は、スイッチＳＷ８１の一方の端子に接続される。スイッチＳＷ８１の他方の端子は、ツェナーダイオードＺＤ８１のカソードに接続される。ツェナーダイオードＺＤ８１のアノードは、抵抗Ｒ８１，Ｒ８２を介してダイオードＤ８１，Ｄ８２のアノードに接続される。ダイオードＤ８１のカソードは全波整流器８２の他方の入力端子に接続される。ダイオードＤ８２のカソードは抵抗Ｒ８４とフォトカプラＰＣ８１の発光ダイオードＰＤ８１のアノード・カソード路との直列接続を介して全波整流器８２の負極側の出力端子に接続される。また、ダイオードＤ８２のカソードは電解コンデンサＣ８１を介して発光ダイオードＰＤ８１のカソードに接続される。
【００１９】
以下、全波整流器８２，スイッチングレギュレータ回路８３，インバータ回路８４，制御回路８５，放電灯８６，平滑コンデンサＣ８２，抵抗Ｒ８３及びフォトカプラＰＣ８１のフォトトランジスタＰＴｒ８１の構成は、図７の全波整流器７２，スイッチングレギュレータ回路７３，インバータ回路７４，制御回路７５，放電灯７６，平滑コンデンサＣ７２，抵抗Ｒ７３及びフォトカプラＰＣ７１のフォトトランジスタＰＴｒ７１と同様になっている。
【００２０】
このような従来の放電灯点灯装置において、スイッチＳＷ８１をオフした状態では、フォトカプラＰＣ８１の発光ダイオードＰＤ８１には電流が流れず発光を行わないので、フォトカプラＰＣ８１のフォトトランジスタＰＴｒ８１はオフ状態となり制御回路８５にはハイレベルの電圧が供給される。これにより、インバータ回路８４が停止し放電灯８６が消灯する。
【００２１】
スイッチＳＷ８１をオンした状態では、フォトカプラＰＣ８１の発光ダイオードＰＤ８１にはツェナーダイオードＺＤ８１、抵抗Ｒ８１，Ｒ８２、ダイオードＤ８２と抵抗Ｒ８４のカソードを介して電流が流れて発光し、フォトカプラＰＣ８１のフォトトランジスタＰＴｒ８１はオン状態となり制御回路８５にはローレベルの電圧が供給される。これにより、インバータ回路８４は入力端子間に加わる直流電圧を高周波電圧に変換して放電灯８６を点灯する。
【００２２】
図９は従来の放電灯点灯装置の第３の例を示す回路図である。
【００２３】
図９において、交流電源９１の一方の出力端子は、ダイオードブリッジによる全波整流器９２の一方の入力端子に接続され、交流電源９１の他方の出力端子は、全波整流器９２の他方の入力端子に接続される。
【００２４】
交流電源９１の他方の出力端子は、スイッチＳＷ９１の一方の端子に接続される。交流電源９１の一方の出力端子は、抵抗Ｒ９１を介してツェナーダイオードＺＤ９１のカソードに接続される。ツェナーダイオードＺＤ９１のアノードは、ツェナーダイオードＺＤ９２のアノードに接続される。ツェナーダイオードＺＤ９２のカソードは、抵抗Ｒ９２，Ｒ９４の直列接続を介してスイッチＳＷ９１の他方の端子に接続される。また、ツェナーダイオードＺＤ９２のカソードは、電解コンデンサＣ９１とフォトカプラＰＣ９１の発光ダイオードＰＤ９１のアノード・カソード路の並列接続を介して抵抗Ｒ９２，Ｒ９４の接続点に接続される。発光ダイオードＰＤ９１のカソードはダイオードＤ９１のアノード・カソード路を介してフォトトランジスタＰＴｒ９１のアノードに接続される。
【００２５】
以下、全波整流器９２，スイッチングレギュレータ回路９３，インバータ回路９４，制御回路９５，放電灯９６，平滑コンデンサＣ９２，抵抗Ｒ９３及びフォトカプラＰＣ９１のフォトトランジスタＰＴｒ９１の構成は、図７の全波整流器７２，スイッチングレギュレータ回路７３，インバータ回路７４，制御回路７５，放電灯７６，平滑コンデンサＣ７２，抵抗Ｒ７３及びフォトカプラＰＣ７１のフォトトランジスタＰＴｒ７１と同様になっている。
【００２６】
このような従来の放電灯点灯装置において、スイッチＳＷ９１をオフした状態では、フォトカプラＰＣ９１の発光ダイオードＰＤ９１には電流が流れず発光を行わないので、フォトカプラＰＣ９１のフォトトランジスタＰＴｒ９１はオフ状態となり制御回路９５にはハイレベルの電圧が供給される。これにより、インバータ回路９４が停止し放電灯９６が消灯する。
【００２７】
スイッチＳＷ９１をオンした状態では、フォトカプラＰＣ９１の発光ダイオードＰＤ９１にはツェナーダイオードＺＤ９１、抵抗Ｒ９１，Ｒ９２、ツェナーダイオードＺＤ９２と抵抗Ｒ９４を介して電流が流れて発光し、フォトカプラＰＣ９１のフォトトランジスタＰＴｒ９１はオン状態となり制御回路９５にはローレベルの電圧が供給される。これにより、インバータ回路９４は入力端子間に加わる直流電圧を高周波電圧に変換して放電灯９６を点灯する。
【００２８】
以上、図７乃至図９に示した第１乃至第３の放電灯点灯装置により、スイッチをオフ操作することにより放電灯を消灯できる。
【００２９】
ここで、図７の放電灯点灯装置と常用安定器にインバータを用いた器具とが同一配線内で組み合わせた場合を説明する。
【００３０】
図１０は図７の従来の放電灯点灯装置と常用安定器にインバータを用いた器具とを同一配線内で組み合わせた場合を示す回路図である。
【００３１】
図１０において、第１の器具１００は、図７の放電灯点灯装置のスイッチＳＷ７１よりも後段の回路となっており、負荷回路７０は図７のスイッチングレギュレータ回路７３，インバータ回路７４，制御回路７５，放電灯７６，平滑コンデンサＣ７２，抵抗Ｒ７３及びフォトカプラＰＣ７１のフォトトランジスタＰＴｒ７１となっている。
【００３２】
交流電源７１の一方及び他方の出力端子は、それぞれ第２の器具１０１の非常用点灯ユニット１０２の一方及び他方の入力端子に接続されるとともに、それぞれ全波整流器１０３の一方及び他方の入力端子に接続される。全波整流器１０３の正極側の出力端子は、負荷回路１０４を介して全波整流器１０３の負極側の出力端子に接続される。第２の器具１０１の負荷回路１０３はインバータを用いた常用安定器（常用放電灯点灯回路）となっている。
【００３３】
このような組み合わせでは、スイッチＳＷ７１をオフした状態では、交流電源７１の一方の出力端子→全波整流器１０３→負荷回路１０４→全波整流器１０３→抵抗Ｒ７１，Ｒ７２→フォトカプラＰＣ７１の発光ダイオードＰＤ７１→全波整流器７２→交流電源７１の他方の出力端子に電流が流れフォトカプラＰＣ７１のフォトトランジスタＰＴｒ７１がオン状態となり制御回路７５にはローレベルの電圧が供給される。これにより、インバータ回路７４は入力端子間に加わる直流電圧を高周波電圧に変換して放電灯７６を点灯する。
【００３４】
このような組み合せは、スイッチＳＷ７１のオンオフにかかわらず放電灯７６が点灯するため、用いることができなかった。
【００３５】
図１１は図８の放電灯点灯装置と図９の放電灯点灯装置とを同一配線内で組み合わせた場合を示す回路図である。
【００３６】
図１１において、第１の器具１１０は、図９の放電灯点灯装置のスイッチＳＷ９１よりも後段の回路となっており、負荷回路９０は図９のスイッチングレギュレータ回路９３，インバータ回路９４，制御回路９５，放電灯９６，平滑コンデンサＣ９２，抵抗Ｒ９３及びフォトカプラＰＣ９１のフォトトランジスタＰＴｒ９１となっている。
【００３７】
第２の器具１１１は、図８の放電灯点灯装置のスイッチＳＷ８１よりも後段の回路となっており、負荷回路８０は図８のスイッチングレギュレータ回路８３，インバータ回路８４，制御回路８５，放電灯８６，平滑コンデンサＣ８２，抵抗Ｒ８３及びフォトカプラＰＣ８１のフォトトランジスタＰＴｒ８１となっている。
【００３８】
交流電源９１の一方及び他方の出力端子は、それぞれ全波整流器８２の一方及び他方の入力端子に接続される。スイッチＳＷ９１の他方の端子は、ツェナーダイオードＺＤ８１のカソードに接続される。
【００３９】
このような組み合わせでは、スイッチＳＷ９１をオフした状態では、交流電源９１の一方の出力端子→抵抗Ｒ９１→ツェナーダイオードＺＤ９１，ＺＤ９２→フォトカプラＰＣ９１の発光ダイオードＰＤ９１→抵抗Ｒ９３→ツェナーダイオードＺＤ８１→ダイオードＤ８１→交流電源９１の他方の出力端子に電流が流れフォトカプラＰＣ９１のフォトトランジスタＰＴｒ９１（図９参照）はオン状態となり負荷回路９０の制御回路９５（図９参照）にはローレベルの電圧が供給される。これにより、インバータ回路９４は入力端子間に加わる直流電圧を高周波電圧に変換して放電灯９６を点灯する。
【００４０】
このような組み合せは、スイッチＳＷ９１のオンオフにかかわらず負荷回路９０の放電灯７６を点灯するため、用いることができなかった。
【００４１】
一方、従来の電源別置型の非常灯・誘導灯の放電灯点灯装置において、２線式で対応する場合、常用電源（交流）から非常用電源（直流）に切り替わる時に、切り替わる時間が０秒の場合、切換わる時の交流電流がピーク及びその付近では大電流が流れるため、リレーのスイッチにオン状態で止めようとする力が働くとともに、直流を検出してからリレーのコイルに電流を完全に流れなくするためにある程度時間がかかるため、リレーのスイッチが動作せず、安定器（常用点灯回路）に直流電源が印加され安定器が破壊するという問題が発生する。このため、従来は例えば０．０５秒程度以上の切換え時間を設定してこれ以内の時間で切り替わらないようにしているが、これでは放電灯が僅かな間であるが消えるため、あまり好ましくない。このこと対応して、以下の常用点灯回路のオン・オフを瞬時に行う切換回路が開発されている。
【００４２】
図１２はこのような従来の放電灯点灯装置のオン・オフを行う切換回路を示す回路図である。
【００４３】
交流電源１２０の一方の出力端子は、放電灯点灯装置の一方の入力端子１２１に接続され、交流電源１２０の他方の出力端子は、放電灯点灯装置の一方の入力端子１２２に接続される。入力端子１２１，１２２は交流電源が切れた場合、直ぐに非常用直流電圧が供給される。入力端子１２１，１２２には、図示しない非常用点灯回路が接続される。
【００４４】
入力端子１２１は常用点灯回路１２３の一方の入力端子に接続されるとともに、切換回路１３０の一方の入力端子１３１に接続される。入力端子１２２は切換回路１３０の他方の入力端子１３２に接続される。入力端子１２１，１２２間には非常用点灯回路が接続されており、この非常用点灯回路は直流電圧によって動作するようになっている。
【００４５】
切換回路１３０は、抵抗ＴＮＲ１０１，ＴＮＲ１０２と、リレー１３４のコイルＬ１０１と、コンデンサＣ１０１，Ｃ１０２と、抵抗Ｒ１０１，Ｒ１０２，Ｒ１０３と、ＮＰＮトランジスタＴｒ１０１と、全波整流器１３５と、リレー１３４のスイッチＳＷ１０１とから構成されている。
【００４６】
入力端子１３１は、抵抗ＴＮＲ１０１を介して入力端子１３２に接続されるとともに、コンデンサＣ１０１，Ｃ１０２の直列接続を介して入力端子１３２に接続される。コンデンサＣ１０１，Ｃ１０２の接続点は、リレー１３４のコイルＬ１０１を介して入力端子１３２に接続される。リレー１３４のコイルＬ１０１は、停電時に常用電源（交流電源１２０）から非常用電源に切り替わった場合にスイッチＳＷ１０１をオフするためのものである。入力端子１３２は、全波整流器１３５の一方の入力端子に接続される。全波整流器１３５の他方の入力端子は、切換回路１３０の出力端子１３３に接続される。出力端子１３３は常用点灯回路１２３の他方の入力端子に接続される。
【００４７】
全波整流器１３５の正極側の出力端子は、抵抗ＴＮＲ１０２を介して全波整流器１３５の負極側の出力端子に接続されるとともに、抵抗Ｒ１０１とＮＰＮトランジスタＴｒ１０１のコレクタ・エミッタ路を介して全波整流器１３５の負極側の出力端子に接続される。全波整流器１３５の正極側の出力端子は、リレー１３４のスイッチＳＷ１０１の一方の端子に接続される。リレー１３４のスイッチＳＷ１０１の他方の端子は、抵抗Ｒ１０２，Ｒ１０３の直列接続を介して、全波整流器１３５の負極側の出力端子に接続される。抵抗Ｒ１０２，Ｒ１０３の接続点はＮＰＮトランジスタＴｒ１０１のベースに接続される。
【００４８】
まず、交流電源１２０が正常に動作している状態では、リレー１３４のコイルＬ１０１に交流電流が流れ、スイッチＳＷ１０１がオンされ、ＮＰＮトランジスタＴｒ１０１がオンされ、入力端子１３２からの電流が全波整流器１３５、抵抗Ｒ１０１，ＮＰＮトランジスタＴｒ１０１、全波整流器１３５を介して出力端子１３３に流れるとともに、出力端子１３３からの電流が全波整流器１３５、抵抗Ｒ１０１，ＮＰＮトランジスタＴｒ１０１、全波整流器１３５を介して入力端子１３２に流れる。これにより常用点灯回路１２３に交流電圧が供給される。
【００４９】
この後、交流電源１２０が停電等により非常用電源の直流電源に切替わると、リレー１３４のコイルＬ１０１に交流電流が流なくなり、スイッチＳＷ１０１がオフされ、ＮＰＮトランジスタＴｒ１０１がオフされ、入力端子１３２と出力端子１３３の間に電流は流れず、常用点灯回路１２３は交流電圧、直流電圧が共に供給されない状態となる。また、図示しない非常用点灯回路について直流電圧が供給される。
【００５０】
このような従来の切換え回路によれば、リレー１３４のスイッチＳＷ１０１に流れる電流は少ないので、交流電源１２０から直流電源に切り換わり常に確実に常用点灯回路１２３へ直流電源電圧が供給されるのを防止できる。
【００５１】
しかしながら、このような従来の切換回路では、交流電源１２０が正常に動作している状態では、全波整流器１３５、抵抗Ｒ１０１，ＮＰＮトランジスタＴｒ１０１に大電流が流れるので、大きく高価な部品を用いたり、放熱フィンを取り付けたりしなければならず、装置が大きく高価なものになっていた。
【００５２】
【発明が解決しようとする課題】
上記した従来の放電灯点灯装置では、スイッチの操作によりフォトカプラをオフさせ、このフォトカプラのオフによりインバータ回路の制御回路に発振停止信号を供給して装置を停止していたが、常用安定器にインバータを用いた器具を同一配線内で組み合わせると、前記フォトカプラの発光部に電流が流れ、スイッチの操作をしても装置が停止できず、このような組み合わせは採用できなかった。また、従来の電源別置型の非常灯・誘導灯の放電灯点灯装置において、２線式で対応する場合、常用電源（交流）から非常用電源（直流）に瞬時に切換えれるように構成すると、この場合の切換え回路に大電流が流れ込み、全波整流器やトランジスタ等に大電流が流れるため、大きく高価な部品を用いたり、放熱フィンを取り付けたりしなければならず、装置が大きく高価なものになっていた。
【００５３】
そこで本発明は、スイッチの操作によりフォトカプラをオフさせ、このフォトカプラのオフによりインバータ回路を停止する放電灯点灯装置において、他のインバータを用いた器具を同一配線内で組み合わせることができるようにした放電灯点灯装置を提供することを目的とする。また、常用電源の交流電源電圧と直流非常用電源の直流電源電圧との切換えを瞬時に行う場合に常用点灯回路に非常用電源の直流電圧が加わるのを防止する回路に対してリレーのスイッチ以外には大電流が流れないようにしたことを特徴とする放電灯点灯装置の提供を目的とする。
【００５４】
【課題を解決するための手段】
本発明の高圧放電灯点灯装置は、交流電源の一方及び他方の出力端子にそれぞれ接続される一方及び他方の伝送線路と、この一方及び他方の伝送線路にその一方及び他方の入力端子がそれぞれ接続される第１および第２の全波整流回路と、これら第１及び第２の全波整流回路の出力端子から電源電圧をそれぞれのインバータ回路で高周波電圧に変換して、それぞれ第１及び第２の放電灯の点灯を行う第１及び第２の負荷回路と、前記他方の伝送線路にその一方の端子が接続され、その一方の端子と他方の端子間のオン・オフを行うオン・オフスイッチと、このオン・オフスイッチの他方の端子にその発光ダイオードのアノードが接続され、その発光ダイオードのカソードが前記一方の伝送線路に接続され、そのフォトトランジスタが前記第１の負荷回路に設けられ、その発光ダイオードが発光した場合、そのフォトトランジスタが前記第１の負荷回路に対して第１の放電灯を点灯可能な状態にし、その発光ダイオードが発光しなかった場合、そのフォトトランジスタが前記第１の負荷回路に対して第１の放電灯の消灯を行なわせる第１のフォトカプラと、前記オン・オフスイッチの他方の端子にその発光ダイオードのアノードが接続され、その発光ダイオードのカソードが前記第２の全波整流回路の負極側の出力端子に接続され、そのフォトトランジスタが前記第２の負荷回路に設けられ、その発光ダイオードが発光した場合、そのフォトトランジスタが前記第２の負荷回路に対して第２の放電灯を点灯可能な状態にし、その発光ダイオードが発光しなかった場合、そのフォトトランジスタが前記第２の負荷回路に対して第２の放電灯の消灯を行なわせる第２のフォトカプラと、を具備し、前記オン・オフスイッチをオフにした状態では、前記第１，第２のフォトカプラの発光ダイオードに電流が流れることのないように、前記オン・オフスイッチの他方の端子に前記一方の伝送線路と同じかもしくは低い電圧となる配線を施すことにより、インバータ回路を用いた前記第１，第２の負荷回路をそれぞれ備えた器具を同一配線内で組み合わせ可能にしたことを特徴とする。
【００５５】
【発明の実施の形態】
以下、本発明の実施の形態を図面を参照して説明する。
【００５６】
図１は本発明に係る放電灯点灯装置の第１の実施の形態を示す回路図である。
【００５７】
図１において、交流電源１１の一方及び他方の出力端子は、それぞれ一方及び他方の伝送線路１，２に接続される。
【００５８】
一方の伝送線路１は、ダイオードブリッジによる全波整流器１２の一方の入力端子に接続され、他方の伝送線路２は、全波整流器１２の他方の入力端子に接続される。
【００５９】
また、他方の伝送線路２は、スイッチＳＷ１１の一方の端子に接続される。スイッチＳＷ１１の他方の端子は、ツェナーダイオードＺＤ１１のカソードに接続される。ツェナーダイオードＺＤ１１のアノードは、抵抗Ｒ１１，Ｒ１２、ダイオードＤ１１のアノード・カソード路、抵抗Ｒ１３及びフォトカプラＰＣ１１の発光ダイオードＰＤ１１のアノード・カソード路を介して一方の伝送線路１に接続される。ダイオードＤ１１のカソードは電解コンデンサＣ１１を介して発光ダイオードＰＤ１１のカソードに接続される。
【００６０】
全波整流器１２の正極側の出力端子は、平滑コンデンサＣ１２を介して全波整流器１２の負極側の出力端子に接続される。
【００６１】
全波整流器１２の正極側及び負極側の出力端子は、それぞれスイッチングレギュレータ回路１３の正極側及び負極側の入力端子に接続される。
【００６２】
スイッチングレギュレータ回路１３は、その入力端子に加わる電源電圧から所定の電圧値に安定化された直流電源電圧を作成して正極側及び負極側の端子間に出力する。
【００６３】
スイッチングレギュレータ回路１３の正極側及び負極側の出力端子は、それぞれインバータ回路１４の正極側及び負極側の入力端子に接続される。
【００６４】
また、スイッチングレギュレータ回路１３の正極側の出力端子は、抵抗Ｒ１４及びフォトカプラＰＣ１１のフォトトランジスタＰＴｒ１１のコレクタ・エミッタ路を介してスイッチングレギュレータ回路１３の負極側の出力端子に接続される。
【００６５】
抵抗Ｒ１４とフォトトランジスタＰＴｒ１１の接続点は、制御回路１５の正極側の入力端子に接続される。スイッチングレギュレータ回路１３の負極側の出力端子は、制御回路１５の負極側の入力端子に接続される。
【００６６】
制御回路１５は、入力端子間に所定値以上の電圧（ハイレベルの電圧）が供給された場合にインバータ回路１４を停止させる制御信号ａ１を出力し、入力端子間に所定値より低い電圧（ローレベルの電圧）が供給された場合にインバータ回路１４を動作させる制御信号ａ１を出力する。
【００６７】
インバータ回路１４は制御回路１５からの制御信号ａ１に基づいてその入力端子間に加わる直流電圧を高周波電圧に変換して放電灯１６に印加することにより、放電灯１６を点灯している。
【００６８】
このような接続により、本発明の実施の形態の放電灯点灯装置は、交流電源１１の一方及び他方の出力端子にそれぞれ接続される一方及び他方の伝送線路１，２と、この一方及び他方の伝送線路１，２にその一方及び他方の入力端子がそれぞれ接続される全波整流回路１２と、この全波整流回路１２の出力端子から電源電圧をインバータ回路１４で高周波電圧に変換して放電灯１６の点灯を行う負荷回路（平滑コンデンサＣ１２，スイッチングレギュレータ回路１３，インバータ回路１４，制御回路１５及び抵抗Ｒ１４）と、前記他方の伝送線路２にその一方の端子が接続され、その一方の端子と他方の端子間のオン・オフを行うオン・オフスイッチＳＷ１１と、このオン・オフスイッチＳＷ１１の他端にその発光ダイオードＰＤ１１のアノードが接続され、その発光ダイオードＰＤ１１のカソードが前記一方の伝送線路１に接続され、そのフォトトランジスタＰＴｒ１１が前記負荷回路に設けられ、その発光ダイオードＰＤ１１が発光した場合、前記フォトトランジスタＰＴｒ１１が前記負荷回路に対して放電灯１６を点灯可能な状態にし、発光ダイオードＰＤ１１が発光しなかった場合、前記フォトトランジスタＰＴｒ１１が前記負荷回路に対して放電灯１６の消灯を行なわせるフォトカプラＰＣ１１と、を具備したことを特徴とする。
【００６９】
このような放電灯点灯装置において、スイッチＳＷ１１をオフした状態では、発光ダイオードＰＤ１１には電流が流れず発光を行わないので、フォトカプラＰＣ１１のフォトトランジスタＰＴｒ１１はオフ状態となり制御回路１５にはハイレベルの電圧が供給される。これにより、インバータ回路１４が停止し放電灯１６が消灯する。
【００７０】
スイッチＳＷ１１をオンした状態では、発光ダイオードＰＤ１１にはツェナーダイオードＺＤ１１，抵抗Ｒ１１，Ｒ１２，ダイオードＤ１１，抵抗Ｒ１３を介して電流が流れて発光し、フォトカプラＰＣ１１のフォトトランジスタＰＴｒ１１はオン状態となり制御回路１５にはローレベルの電圧が供給される。これにより、インバータ回路１４は入力端子間に加わる直流電圧を高周波電圧に変換して放電灯１６を点灯する。
【００７１】
このような発明の実施の形態によれば、スイッチＳＷ１１をオフにした状態でフォトカプラＰＣ１１の発光ダイオードＰＤ１１に電流を流すには、スイッチＳＷ１１の他方の端子に伝送線路１よりも高い電圧を有する配線を接続しなければならない。いいかえれば、スイッチＳＷ１１の他方の端子に伝送線路１と同じかもしくは低い電圧となる配線を接続すれば、負荷回路にインバータを用いた器具を同一配線内で組み合わせることができる。
【００７２】
このような組み合わせの例を以下に説明する。
【００７３】
図２は図１の放電灯点灯装置に第１の別の器具を同一配線内で組み合わた場合を示す回路図である。
【００７４】
図２において、第１の器具２１０は、図１の放電灯点灯装置のスイッチＳＷ１１よりも後段の回路となっており、負荷回路１０は図１のスイッチングレギュレータ回路１３，インバータ回路１４，制御回路１５，放電灯１６，平滑コンデンサＣ１２，抵抗Ｒ１４及びフォトカプラＰＣ１１のフォトトランジスタＰＴｒ１１となっている。
【００７５】
第２の器具２１１は、負荷回路２０と、全波整流器２２と、平滑コンデンサＣ２２，抵抗Ｒ２１と、抵抗Ｒ２２と、フォトカプラＰＣ２１の発光ダイオードＰＤ２１とから構成される。負荷回路２０は、負荷回路１０と同様のインバータ回路を用いた放電灯点灯回路となっており、フォトカプラＰＣ２１の発光ダイオードＰＤ２１と光結合するフォトトランジスタにより、第２の放電灯のオン、オフを行う。
【００７６】
さらに詳細に説明すると、スイッチＳＷ１１の他方の端子は、抵抗Ｒ２１，Ｒ２２及びフォトカプラＰＣ２１の発光ダイオードＰＤ２１のアノード・カソード路を介して全波整流器２２の負極側の出力端子に接続される。抵抗Ｒ１１，Ｒ１２の接続点は電解コンデンサＣ１１を介して発光ダイオードＰＤ１１のカソードに接続される。
【００７７】
このような放電灯点灯装置において、スイッチＳＷ１１をオンした状態では、発光ダイオードＰＤ１１にはツェナーダイオードＺＤ１１，抵抗Ｒ１１，Ｒ１２，ダイオードＤ１１，抵抗Ｒ１３を介して電流が流れて発光し、フォトカプラＰＣ１１のフォトトランジスタはオン状態となり負荷回路１０の制御回路にはローレベルの電圧が供給される。これにより、負荷回路１０は、第１の放電灯を点灯する。また、発光ダイオードＰＤ２１には抵抗Ｒ２１，Ｒ２２を介して電流が流れて発光し、フォトカプラＰＣ２１のフォトトランジスタはオン状態となり制御回路１５にはローレベルの電圧が供給される。これにより、負荷回路２０は、第２の放電灯を点灯する。
【００７８】
スイッチＳＷ１１をオフした状態では、ダイオードＤ１１，発光ダイオードＰＤ１１，ＰＤ２１の働きにより、発光ダイオードＰＤ１１には電流が流れず発光を行わないので、フォトカプラＰＣ１１のフォトトランジスタはオフ状態となり負荷回路１０の制御回路にはハイレベルの電圧が供給される。これにより、負荷回路１０は、第１の放電灯を消灯する。また、発光ダイオードＰＤ２１には電流が流れず、フォトカプラＰＣ２１のフォトトランジスタはオフ状態となり制御回路にはハイレベルの電圧が供給される。これにより、負荷回路２０は、放電灯を消灯する。
【００７９】
以上説明したように、このような組み合わせで、スイッチの操作によりフォトカプラをオフさせ、フォトカプラをオフによりインバータ回路の制御回路に発振停止信号を供給して停止する放電灯点灯装置において、負荷回路にインバータ回路を用いた器具を同一配線内で組み合わせることができる。
【００８０】
図３は図１の放電灯点灯装置に第２の別の器具を同一配線内で組み合わた場合を示す回路図であり、図１の発明の実施の形態と同様の構成要素には同じ符号を付して説明を省略している。
【００８１】
図３において、第２の器具２２１は、負荷回路３０と、全波整流器３２と、平滑コンデンサＣ３２，ツェナーダイオードＺＤ３１と、抵抗Ｒ３１，Ｒ３２，Ｒ３３と、ダイオードＤ３１，Ｄ３２と、フォトカプラＰＣ３１の発光ダイオードＰＤ３１とから構成される。負荷回路３０は、負荷回路１０と同様のインバータを用いた放電灯点灯回路となっており、フォトカプラＰＣ３１の発光ダイオードＰＤ３１と光結合するフォトトランジスタにより、第２の放電灯のオン、オフを行う。
【００８２】
さらに詳細に説明すると、スイッチＳＷ１１の他方の端子は、ツェナーダイオードＺＤ３１のカソードに接続される。ツェナーダイオードＺＤ３１のアノードは、抵抗Ｒ３１，Ｒ３２を介してダイオードＤ３１，Ｄ３２のアノードに接続される。ダイオードＤ３１のカソードは伝送線路２に接続される。ダイオードＤ３２のカソードは抵抗Ｒ３４とフォトカプラＰＣ３１の発光ダイオードＰＤ３１のアノード・カソード路との直列接続を介して全波整流器３２の負極側の出力端子に接続される。また、ダイオードＤ３２のカソードは電解コンデンサＣ３１を介して発光ダイオードＰＤ３１のカソードに接続される。
【００８３】
このような放電灯点灯装置において、スイッチＳＷ１１をオンした状態では、発光ダイオードＰＤ１１にはツェナーダイオードＺＤ１１，抵抗Ｒ１１，Ｒ１２，ダイオードＤ１１，抵抗Ｒ１３を介して電流が流れて発光し、フォトカプラＰＣ１１のフォトトランジスタはオン状態となり負荷回路１０の制御回路にはローレベルの電圧が供給される。これにより、負荷回路１０は、第１の放電灯を点灯する。また、発光ダイオードＰＤ３１にはツェナーダイオードＺＤ３１、抵抗Ｒ３１，Ｒ３２、ダイオードＤ３２、抵抗Ｒ３３を介して電流が流れて発光し、フォトカプラＰＣ２１のフォトトランジスタはオン状態となりインバータ回路の制御回路にはローレベルの電圧が供給される。これにより、負荷回路３０は、第２の放電灯を点灯する。
【００８４】
スイッチＳＷ１１をオフした状態では、ダイオードＤ１１，Ｄ３１、発光ダイオードＰＤ１１，ＰＤ３１の働きにより、発光ダイオードＰＤ１１には電流が流れず発光を行わないので、フォトカプラＰＣ１１のフォトトランジスタはオフ状態となり負荷回路１０の制御回路にはハイレベルの電圧が供給される。これにより、負荷回路１０は、第１の放電灯を消灯する。また、発光ダイオードＰＤ３１には電流が流れず、フォトカプラＰＣ３１のフォトトランジスタＰＴｒはオフ状態となり制御回路にはハイレベルの電圧が供給される。これにより、負荷回路３０は、第２の放電灯を消灯する。
【００８５】
以上説明したように、このような組み合わせで、スイッチの操作によりフォトカプラをオフさせ、フォトカプラをオフによりインバータ回路の制御回路に発振停止信号を供給して停止する放電灯点灯装置において、負荷回路にインバータ回路を用いた器具を同一配線内で組み合わせることができる。
【００８６】
図４は図１の放電灯点灯装置に第３の別の器具を同一配線内で組み合わた場合を示す回路図であり、図１の発明の実施の形態と同様の構成要素には同じ符号を付して説明を省略している。
【００８７】
図４において、第２の器具２３１は、負荷回路４０と、全波整流器４２と、平滑コンデンサＣ４２，ツェナーダイオードＺＤ４１，ＺＤ４２と、抵抗Ｒ４１，Ｒ４２，Ｒ４３と、ダイオードＤ４１と、フォトカプラＰＣ４１の発光ダイオードＰＤ４１とから構成される。負荷回路４０の負荷回路１０と同様のインバータを用いた放電灯点灯回路となっており、フォトカプラＰＣ４１の発光ダイオードＰＤ４１と光結合するフォトトランジスタにより、負荷回路４０が第２の放電灯のオン、オフを行う。
【００８８】
さらに詳細に説明すると、伝送線路１は、抵抗Ｒ４１とツェナーダイオードＺＤ４１のカソード・アノード路を介してツェナーダイオードＺＤ４２のアノードに接続される。ツェナーダイオードＺＤ４２のカソードは、抵抗Ｒ４２，Ｒ４３の直列接続を介してスイッチＳＷ４１の他方の端子に接続される。また、ツェナーダイオードＺＤ４１のアノードは、電解コンデンサＣ１１とフォトカプラＰＣ４１の発光ダイオードＰＤ４１のアノード・カソード路の並列接続を介して抵抗Ｒ４２，Ｒ４３の接続点に接続される。発光ダイオードＰＤ４１のカソードはダイオードＤ４１のアノード・カソード路を介してフォトトランジスタＰＴｒ４１のアノードに接続される。
【００８９】
このような放電灯点灯装置において、スイッチＳＷ１１をオンした状態では、発光ダイオードＰＤ１１にはツェナーダイオードＺＤ１１，抵抗Ｒ１１，Ｒ１２，ダイオードＤ１１，抵抗Ｒ１３を介して電流が流れて発光し、フォトカプラＰＣ１１のフォトトランジスタはオン状態となり負荷回路１０の制御回路にはローレベルの電圧が供給される。これにより、負荷回路１０は、第１の放電灯を点灯する。また、発光ダイオードＰＤ４１には、伝送配線１から抵抗Ｒ４１，ツェナーダイオードＺＤ４１，ＺＤ４２を介して電流が流れて発光し、フォトカプラＰＣ４１のフォトトランジスタはオン状態となりインバータ回路の制御回路にはローレベルの電圧が供給される。これにより、負荷回路４０は、第２の放電灯を点灯する。
【００９０】
スイッチＳＷ１１をオフした状態では、発光ダイオードＰＤ１１のカソードに伝送配線１が直接接続される一方、発光ダイオードＰＤ４１のアノードにツェナーダイオードＺＤ４２，ＺＤ４１、抵抗Ｒ４１を介して伝送配線１が接続されるため、発光ダイオードＰＤ１１，ＰＤ４１は電流が流れず発光を行わないので、負荷回路１０，４０は、第１及び第２の放電灯を消灯する。
【００９１】
以上説明したように、図１の放電灯点灯装置に、負荷回路にインバータを用いた器具２３１を同一配線内で組み合わせることができる。
【００９２】
図５は図１の放電灯点灯装置に第４の別の器具を同一配線内で組み合わた場合を示す回路図であり、図１の発明の実施の形態と同様の構成要素には同じ符号を付して説明を省略している。
【００９３】
図５において、伝送線路１，２は、それぞれ第２の器具２５１の非常用点灯ユニット２５２の一方及び他方の入力端子に接続されるとともに、それぞれ全波整流器２５３の一方及び他方の入力端子に接続される。全波整流器２５３の正極側の出力端子は、負荷回路２５４を介して全波整流器２５３の負極側の出力端子に接続される。第２の器具２５１の負荷回路２５４はインバータを用いた常用安定器となっている。
【００９４】
このような組み合わせでは、スイッチＳＷ１１をオンした状態では、発光ダイオードＰＤ１１にはツェナーダイオードＺＤ１１，抵抗Ｒ１１，Ｒ１２，ダイオードＤ１１，抵抗Ｒ１３を介して電流が流れて発光し、フォトカプラＰＣ１１のフォトトランジスタはオン状態となり負荷回路１０の制御回路にはローレベルの電圧が供給される。これにより、負荷回路１０は、第１の放電灯を点灯する。また、全波整流器２５３にも、伝送配線１，２により電流が流れ、負荷回路２５４は、放電灯を点灯する。
【００９５】
スイッチＳＷ１１をオフした状態では、発光ダイオードＰＤ１１のカソードに伝送配線１が直接接続される一方、全波整流器２５３の一方の入力端子にも伝送配線１が接続されるため、全波整流器２５３から発光ダイオードＰＤ１１に電流が流れることがなく、負荷回路１０，２５４は、放電灯を消灯する。
【００９６】
以上説明したように、図１の放電灯点灯装置において、負荷回路にインバータを用いた器具２５１を同一配線内で組み合わせることができる。
【００９７】
図１の図１の放電灯点灯装置では、図２乃至図５に示した組み合わせで、負荷回路にインバータ回路を用いた器具を同一配線内で組み合わせることができ、設計の自由度が広がり配線の簡素化や装置の小形化が行える。
【００９８】
図６は本発明に係る放電灯点灯装置の第２の発明の実施の形態を示す回路図である。
【００９９】
図６において、交流電源６０の一方の出力端子は、放電灯点灯装置の一方の入力端子６１に接続され、交流電源６０の他方の出力端子は、放電灯点灯装置の一方の入力端子６２に接続される。入力端子６１，６２は交流電源が切れた場合、直ぐに非常用直流電圧が供給される。入力端子６１，６２には、図示しない非常用点灯回路が接続される。
【０１００】
入力端子６１は常用点灯回路６３の一方の入力端子に接続されるとともに、切換回路３００の一方の入力端子３０１に接続される。入力端子６２は切換回路３００の他方の入力端子３０２に接続されとともに、リレー３０４のスイッチＳＷ３０１の一方の端子に接続される。スイッチＳＷ３０１の他方の端子は全波整流器３０５の負極側の出力端子に接続される。また、入力端子６１，６２間には図示しない非常用点灯回路が接続されており、この非常用点灯回路は直流電圧によって動作するようになっている。
【０１０１】
切換回路３００は、抵抗Ｒ６１，Ｒ６２，Ｒ６３，Ｒ６４，Ｒ６５，Ｒ６６，Ｒ６７，Ｒ６８，Ｒ６９と、リレー３０４のコイルＬ３０１と、電解コンデンサＣ６１と、コンデンサＣ６２と、ＮＰＮトランジスタＴｒ６１，Ｔｒ６２，Ｔｒ６３，Ｔｒ６４と、ツェナーダイオードＺＤ６１，ＺＤ６２と、ダイオードＤ６１と、全波整流器３０５とから構成されている。
【０１０２】
入力端子３０１，３０２は、それぞれ全波整流器３０５の一方及び他方の入力端子に接続される。全波整流器３０５の正極側の出力端子は、抵抗Ｒ６１、ツェナーダイオードＺＤ６１、抵抗Ｒ６２の直列接続を介して全波整流器３０５の負極側の出力端子に接続されるとともに、抵抗Ｒ６４，Ｒ６５とＮＰＮトランジスタＴｒ６１のコレクタ・エミッタ路を介して全波整流器３０５の負極側の出力端子に接続される。ダイオードＤ６１のカソードは抵抗Ｒ６６とＮＰＮトランジスタＴｒ６２のコレクタ・エミッタ路を介して全波整流器３０５の負極側の出力端子に接続される。ツェナーダイオードＺＤ６２のアノードはＮＰＮトランジスタＴｒ６２のベースに接続される。ＮＰＮトランジスタＴｒ６２のコレクタは、ＮＰＮトランジスタＴｒ６１のベースに接続される。また、ダイオードＤ６１のカソードは抵抗Ｒ６７とＮＰＮトランジスタＴｒ６３のコレクタ・エミッタ路と抵抗Ｒ６８の直列接続を介して全波整流器３０５の負極側の出力端子に接続されるとともに、ＮＰＮトランジスタＴｒ６４のコレクタ・エミッタ路と抵抗Ｒ６９とリレー３０４のコイルＬ３０１の直列接続を介して全波整流器３０５の負極側の出力端子に接続される。ＮＰＮトランジスタＴｒ６４のベースはツェナーダイオードＺＤ６２のアノード・カソード路を介して抵抗Ｒ６４，Ｒ６５の接続点に接続する。ツェナーダイオードＺＤ６２のカソードはコンデンサＣ６２を介して全波整流器３０５の負極側の出力端子に接続される。
【０１０３】
このような接続により、本発明の実施の形態の放電灯点灯装置は、交流電源電圧と直流電源電圧が切換えられて供給される一方及び他方の電源入力端子３０１，３０２と、これら一方及び他方の電源入力端子３０１，３０２からの電源電圧により放電灯の点灯を行う常用点灯回路６３と、前記一方及び他方の電源入力端子３０１，３０２から負荷回路に電源電圧を供給する経路に設けられたリレー３０４のスイッチＳＷ３０１と、前記一方及び他方の電源入力端子３０１，３０２にその一方及び他方の入力端子がそれぞれ接続される全波整流回路３０５と、この全波整流回路３０５の出力端子から脈流の直流電圧が供給された場合、前記リレー３０４のコイルＬ３０１へ電流を供給して前記リレー３０４のスイッチＳＷ３０１をオンし、一定の直流電圧が供給されたるかまたは電圧が供給されなかった場合、リレー３０４のコイルＬ３０１への電流の供給を遮断して前記リレー３０４のスイッチＳＷ３０１をオフする制御回路とを具備している。
【０１０４】
本発明の実施の形態の動作を説明する。
【０１０５】
まず、交流電源６０が正常に動作している状態では、全波整流器３０５の出力電圧Ｖ１は脈流のため、ゼロクロス近傍でＮＰＮトランジスタＴｒ６２がオフとなり、ＮＰＮトランジスタＴｒ６１がオンになるため、コンデンサＣ６２はゼロクロス毎に放電し、抵抗Ｒ６４と抵抗Ｒ６５の中点とツェナーダイオードＺＤ６２との接続点における電位Ｖ２をツェナーダイオードＺＤ６２のツェナー電圧ＶZD62以下となるように保ち、ＮＰＮトランジスタＴｒ６３をオフに保っているので、ＮＰＮトランジスタＴｒ６４はオンとなり、リレー３０４のコイルＬ３０１に電流が流れ、リレー３０４のスイッチＳＷ３０１がオンされ、常用点灯回路６３は入力端子６１，６２より交流電源６０の交流電源電圧が供給される。
【０１０６】
次に、交流電源６０が停電して直流電源に切り替わった場合にでは、全波整流器３０５の出力電圧Ｖ１は一定値のため、ＮＰＮトランジスタＴｒ６２が常にオンとなり、ＮＰＮトランジスタＴｒ６１がオフになるため、電圧Ｖ２がツェナーダイオードＺＤ６２のツェナー電圧ＶZD62を越え、ＮＰＮトランジスタＴｒ６３をオンとなり、ＮＰＮトランジスタＴｒ６４はオフとなり、リレー３０４のコイルＬ３０１に電流が流れず、リレー３０４のスイッチＳＷ３０１がオフされ、常用点灯回路６３には入力端子６１，６２からの直流電圧は供給されない。
【０１０７】
入力端子６１，６２に電圧が供給されなかった場合には、リレー３０４のコイルＬ３０１に電流が流れず、リレー３０４のスイッチＳＷ３０１がオフされた状態になる。
【０１０８】
このような発明の実施の形態によれば、この全波整流回路３０５の出力端子から脈流の直流電圧が供給された場合、前記リレー３０４のコイルＬ３０１へ電流を供給して前記リレー３０４のスイッチＳＷ３０１をオンし、一定の直流電圧が供給されたかまたは電圧が供給されなかった場合、リレー３０４のコイルＬ３０１への電流の供給を遮断して前記リレー３０４のスイッチ３０４をオフするので、リレー３０４のスイッチＳＷ３０１に流れる電流が大きくても、リレー３０４のスイッチＳＷ３０１を確実にオフできる。また、常用電源から非常用電源に切換えを瞬時に行う場合に常用点灯回路に非常用電源の直流電圧が加わるのを防止する回路に対してリレー３０４のスイッチＳＷ３０１以外には大電流が流れないようにしたので、大きく高価な部品を用いたり、放熱フィンを取り付けたりする必要がなく、装置の小形化と製造コストの削減が可能になる。
【０１０９】
【発明の効果】
本発明によれば、スイッチの操作によりフォトカプラをオフさせ、このフォトカプラのオフによりインバータ回路を停止する放電灯点灯装置において、他のインバータを用いた器具を同一配線内で組み合わせることができるので、器具設置の自由度が広がり配線の簡素化も可能となる。また、本発明によれば、常用電源の交流電源電圧と直流非常用電源の直流電源電圧との切換えを瞬時に行う場合に常用点灯回路に非常用電源の直流電圧が加わるのを防止する回路に対してリレーのスイッチ以外には大電流が流れないようにしたので、大きく高価な部品を用いたり、放熱フィンを取り付けたりする必要がなく、装置の小形化と製造コストの削減が可能になる。
【図面の簡単な説明】
【図１】本発明に係る放電灯点灯装置の第１の実施の形態を示す回路図。
【図２】図１の放電灯点灯装置に第１の別の器具を同一配線内で組み合わた場合を示す回路図。
【図３】図１の放電灯点灯装置に第２の別の器具を同一配線内で組み合わた場合を示す回路図。
【図４】図１の放電灯点灯装置に第３の別の器具を同一配線内で組み合わた場合を示す回路図。
【図５】図１の放電灯点灯装置に第４の別の器具を同一配線内で組み合わた場合を示す回路図。
【図６】  本発明に係る放電灯点灯装置の第２の実施の形態を示す回路図。
【図７】従来の放電灯点灯装置の第１の例を示す回路図。
【図８】従来の放電灯点灯装置の第２の例を示す回路図。
【図９】従来の放電灯点灯装置の第３の例を示す回路図。
【図１０】は図７の従来の放電灯点灯装置と常用安定器にインバータを用いた器具とを同一配線内で組み合わせた場合を示す回路図。
【図１１】図８の放電灯点灯装置と図９の放電灯点灯装置とを同一配線内で組み合わせた場合を示す回路図。
【図１２】従来の放電灯点灯装置の第３の例を示す回路図。
【符号の説明】
１，２    伝送線路
１１    交流電源
１２    全波整流器
ＰＣ１１    フォトカプラ
ＰＤ１１    発光ダイオード
ＰＴｒ１１    フォトトランジスタ
ＳＷ１１    スイッチ
１３    スイッチングレギュレータ回路
１４    インバータ回路
１５    制御回路
１６    放電灯
【図１】
0003994499.tif 000002
【図２】
0003994499.tif 000003
【図３】
0003994499.tif 000004
【図４】
0003994499.tif 000005
【図５】
0003994499.tif 000006
【図６】
0003994499.tif 000007
【図７】
0003994499.tif 000008
【図８】
0003994499.tif 000009
【図９】
0003994499.tif 000010
【図１０】
0003994499.tif 000011
【図１１】
0003994499.tif 000012
【図１２】
0003994499.tif 000013